【事件の表示】
特許第２８０５７７８号「世界時計」の請求項１に係る特許に対する特許異議の申立てについて、次のとおり決定する。
【結　論】
　訂正を認める。
　特許第２８０５７７８号の請求項１に係る特許を維持する。
【理　由】
１．手続きの経緯
　本件特許２８０５７７８号発明は、昭和６３年１２月２日に出願され、平成１０年７月２４日にその設定登録がなされ、その後、諸田昭夫より特許異議の申立てがなされ、取消理由通知がなされ、その指定期間内である平成１１年１２月６日付けで訂正請求がなされ、これに対して、訂正拒絶理由がなされ、さらに、その指定期間内である平成１２年３月２２日に手続補正書が提出されたものである。      
２．訂正の適否についての判断
第１．訂正請求の補正の適否
（１）補正の内容
補正事項ａ
訂正請求書の全文訂正明細書の特許請求の範囲の
「特定都市の時刻を表示部に表示する特定都市表示モードと複数の都市の時刻を時間表示部にサイクリックに表示する複数都市表示モードとを切換える切換手段と、」
を
「特定都市の時刻を表示部に表示する特定都市表示モードと複数の都市の時刻を前記表示部にサイクリックに表示する複数都市表示モードとを切換える切換手段と、」
と補正する。
（２）補正の目的の適否、拡張・変更の判断
　上記（１）の補正事項ａの補正は、訂正の要旨の訂正事項ａと全文訂正明細書の記載事項との整合性を図るものであり、誤記の訂正を目的としたものであって、実質的に特許請求の範囲を拡張又は変更するものでない。
　また、願書に添付した明細書または図面の記載事項の範囲内の補正と認められる。
第２．訂正の適否について
（１）訂正の内容
訂正事項ａ
特許請求の範囲の
「特定都市の時刻を表示する特定都市表示モードと複数の都市の時刻をサイクリックに表示する複数都市表示モードとを切換える切換手段と、」
を、
「特定都市の時刻を表示部に表示する特定都市表示モードと複数の都市の時刻を前記表示部にサイクリックに表示する複数都市表示モードとを切換える切換手段と、」
と訂正する。
訂正事項ｂ
特許請求の範囲の
「前記複数都市表示モードで、前記標準時刻と前記時差記憶手段に前記都市選択手段で選択されている都市に対応して記憶されている時差とから前記選択されている都市の時刻を求めて表示する第１の制御手段と、」
を、
「前記複数都市表示モードで、前記標準時刻と前記時差記憶手段に前記都市選択手段で選択されている都市に対応して記憶されている時差とから前記選択されている都市の時刻を求めて、この求められた時刻を前記選択されている都市の都市コードと共に前記表示部に表示する第１の制御手段と、」
と訂正する。
訂正事項ｃ
特許請求の範囲の
「前記複数都市表示モードから前記特定都市表示モードに切換られた際に、前記標準時刻と前記時差記憶手段に前記特定都市記憶手段の特定都市に対応して記憶されている時差とから、前記特定都市記憶手段の特定都市の時刻を求めて表示する第２の制御手段と、」
を、
「前記複数都市表示モードから前記特定都市表示モードに切換られた際に、前記標準時刻と前記時差記憶手段に前記特定都市記憶手段の特定都市に対応して記憶されている時差とから、前記特定都市記憶手段の特定都市の時刻を求めて、この求められた時刻を前記特定都市の都市コードと共に、前記表示部に　前記都市選択手段で選択されている都市の時刻と都市コードとに代えて表示する第２の制御手段と、」
と訂正する。
訂正事項ｄ
特許明細書の３頁１４行〜４頁４行の［発明の要点］の欄を、
　「［発明の要点］
　本発明は上記目的を達成するために、標準時刻を計数する時刻計数手段と、複数の都市の時刻と前記標準時刻との時差を、前記複数の都市に対応して記憶する時差記憶手段と、特定都市の時刻を表示部に表示する特定都市表示モードと複数の都市の時刻を前記表示部にサイクリックに表示する複数都市表示モードとを切換える切換手段と、前記複数都市表示モードで複数の都市をサイクリックに選択する都市選択手段と、前記複数都市表示モードで、前記標準時刻と前記時差記憶手段に前記都市選択手段で選択されている都市に対応して記憶されている時差とから前記選択されている都市の時刻を求めて、この求められた時刻を前記選択されている都市の都市コードと共に前記表示部に表示する第１の制御手段と、特定都市を指定する特定都市指定スイッチと、前記複数の都市表示モードで、前記第１の制御手段により前記都市選択手段により選択された都市の時刻が表示されているときに、前記特定都市指定スイッチが操作された際に、前記都市選択手段で選択され時刻が表示されている都市を特定都市として記憶する特定都市記憶手段と、前記複数都市表示モードから前記特定都市表示モードに切換られた際に、前記標準時刻と前記時差記憶手段に前記特定都市記憶手段の特定都市に対応して記憶されている時差とから、前記特定都市記憶手段の特定都市の時刻を求めて、この時刻を前記特定都市の都市コードと共に、前記表示部に、前記都市選択手段で選択されている都市の時刻と都市コードとに代えて表示する第２の制御手段と、を備えることを要旨とする。」
と訂正する。
（２）訂正の目的の適否、拡張・変更の判断
　上記（１）の訂正事項ａ乃至ｃの訂正は、特許請求の範囲の減縮を目的としたものであって、実質的に特許請求の範囲を拡張又は変更するものでない。
　また、上記（１）の訂正事項ｄの訂正は、明りょうでない記載の釈明を目的としたものである。
  そして、上記（１）の訂正事項ａ乃至ｄの訂正は、願書に添付した明細書または図面の記載事項の範囲内の訂正と認められる。
（３）独立特許要件
(3)-1　訂正明細書に係る発明
  訂正明細書の請求項１に係る発明は、訂正明細書及び図面の記載からみて、その特許請求の範囲に記載された請求項１により特定される次のとおりのものである。
  「【請求項１】標準時刻を計数する時刻計数手段と、
　複数の都市の時刻と前記標準時刻との時差を、前記複数の都市に対応して記憶する時差記憶手段と、
　特定都市の時刻を表示部に表示する特定都市表示モードと複数の都市の時刻を前記表示部にサイクリックに表示する複数都市表示モードとを切換える切換手段と、
　前記複数都市表示モードで複数の都市をサイクリックに選択する都市選択手段と、
　前記複数都市表示モードで、前記標準時刻と前記時差記憶手段に前記都市選択手段で選択されている都市に対応して記憶されている時差とから前記選択されている都市の時刻を求めて、この求められた時刻を前記選択されている都市の都市コードと共に前記表示部に表示する第１の制御手段と、　特定都市を指定する特定都市指定スイッチと、　前記複数の都市表示モードで、前記第１の制御手段により前記都市選択手段により選択された都市の時刻が表示されているときに、前記特定都市指定スイッチが操作された際に、前記都市選択手段で選択され時刻が表示されている都市を特定都市として記憶する特定都市記憶手段と、
　前記複数都市表示モードから前記特定都市表示モードに切換られた際に、前記標準時刻と前記時差記憶手段に前記特定都市記憶手段の特定都市に対応して記憶されている時差とから、前記特定都市記憶手段の特定都市の時刻を求めて、この時刻を前記特定都市の都市コードと共に、前記表示部に、前記都市選択手段で選択されている都市の時刻と都市コードとに代えて表示する第２の制御手段と、
　を備えることを特徴とする世界時計。」
（以下、本件発明という。）
(3)-2　取消理由通知の記載事項
  本件特許発明の請求項１に係る世界時計は、本件特許出願前に日本国内において頒布された刊行物１または刊行物１及び刊行物２に基づき当業者が容易に発明をすることができたものであるから、特許法第２９条第２項の規定により特許を受けることができないものであり、特許法１１３条第１項第２号の規定により取り消されるべきものである。
(3)-3　取消理由通知における刊行物の記載事項
刊行物１（特開昭６０−２２８９８５号公報）
（ア）「例えば、指定都市として「東京」が設定さいる場合、「東京」の現在時刻が指定都市時示都１０７で常に表示され、選択都市時刻表１０８では都市選択スイッチ１０４、１０５で選択された都市の現地時刻が表示させる。この場合、選択されている都市名は、都市表示部１０２の世界地図上の対応位置において、フラッシングして、その都市が選択されていることを示す。
　ベースシティーとしての指定都市の設定は指定都市設定スイッチ１１０を押すことにより行われる。例えば、現在、指定都市が「東京」であるとし、この指定都市を「ロンドン」に変更したい場合、都市選択スイッチの左シフトスイッチ１０４または右シフトスイッチ１０５を押して、フラッシングしている都市名を順番にずらせてゆき、「ロンドン」に合わせる。そして、指定都市設定スイッチ１１０を押すことにより、指定都市は「ロンドン」に変更される。この時、直前に選択していた選択都市の「ロンドン」が指定都市として設定され、選択都市時刻表示部１０８で表示されていた現地時刻の「ロンドン」の現地時間が指定都市時刻表示部１０７に移り表示される。下段の選択都市時刻表示部１０８では、選択都市と指定都市が一致するのでその現地時刻は表示されず、この指定都市の月日が表示される。」（４頁左上欄１７行〜同頁左下欄１行）
（イ）「第３図は本発明の世界旅行時計の回路構成を示すブロック図である。
　第３図において、３０１は水晶発振器と分周器とで構成され、１秒パルスを出力する基準時間信号源、３０２は基準時間信号源３０１からの１秒パルスを受けて基準時刻を計数する基準時計部で時分秒カウンタ、月日カウンタで構成されたものである。３０３は時差信号と基準時計部３０２からの出力を受けて指定の都市の現地時刻を出力する加減算器、３０４は基準時計部３０２からの基準時刻信号と時差信号を受けて選択された都市の現地時刻を演算出力する加減算器、３０５は都市選択スイッチ１０４、１０５でカウントアップまたはカウントダウンし、選択都市番号を出力する都市カウンタ、３０６は都市カウンタ３０５からの出力により時差信号を発生する時差信号発生回路、３０７は時差信号出力回路、３０８は夏時間記憶回路で、時差信号出力回路３０７と夏時間記憶回路３０８とで時差信号発生回路３０６を構成する。３０９は指定都市時差記憶部で、指定都市設定スイッチ１０２のスイッチ入力を受けて、その時に時差信号発生回路３０６が出力している時差信号を記憶し、加減算器３０３に記憶している時差信号を出力する。これにより指定都市が設定されることになる。３１０は指定都市時差記憶部３０９の出力と時差信号発生器回路３０６の出力が一致しているか否かの判定を行う比較器で、この比較器３１０の出力によって、選択都市時刻表示部１０８の表示を選択された世界の各都市の現地時刻か指定都市の月日の表示かに切換える。」
（５頁左上欄１１行〜同頁右上欄末行）
（ウ）「都市カウンタ３０５は都市選択スイッチ１０４、１０５でカウントアップまたはカウントダウンされ、所定の都市を示すカウント出力である都市番号を出力している。この都市カウンタ３０５からの都市番号はデコーダ３１７で、都市表示部１０２の世界地図上の対応位置で都市名を表示するための位置データに変換され、都市表示部１０２で都市番号の都市名がフラッシング表示される。
　一方、都市カウンタ３０５からの都市番号は時差信号発生回路３０６に加えられ、予め基準時計部３０２からの基準時刻に対する時差が都市番号対応に設定されている時差信号発生回路から、その都市番号に対する時差信号が出力される。この時差信号は加減算器３０４に加えられ、基準時刻の時差を演算処理して、都市カウンタ３０５で選択された都市の現地時刻として選択都市時刻表示部１０８でその時刻が表示される。
　そして、指定都市時差記憶部３０９には、指定都市の基準時刻に対する時差が、指定都市設定スイッチ１１２の操作により時差信号発生回路３０６から時差信号を受けて記憶されており、この記憶された時差信号が加減算回路３０３に供給されている。加減算回路３０３は指定都市時差記憶部３０９からの時差信号及び基準時計部３０２からの基準時刻を受けて時差を演算処理し、指定都布時刻表示部１０７において、時差修正した指定都市の現在時刻を表示する。」（５頁右下欄１１行〜６頁１７行）
刊行物２（実願昭６１−１８９０１５号（実開昭６３−９３５８７号）のマイクロフィルム）
（エ）「世界時計部４は以下のように構成されている。すなわち、２４個のタイムゾーン（１つのタイムゾーンはグリニッチ標準時刻に対する時差が同一の地域からなる）の各々に割振られた０〜２３の数値（以下タイムゾーンナンバーという。これは東側ほど大きな値が割振られている。）をカウントすることによって、各タイムゾーンを指定するタイムゾーン指定回路２５は、スイッチＳ1が操作される毎にカウントアップしていく２４進カウンタであり、このカウンタのカウント値は時差記憶部２６、都市名記憶部２９および国番号記憶部３１に与えられる。時差記憶部２６は各タイムゾーンにおけるグリニッチ標準時に対する時差を記憶しており、上記カウント値によって指定されたタイムゾーンの時差を演算回路２８に送出する回路である。また、基準時刻計時回路２７は表示切換部２の分周回路１７からの信号を計数してグリニッチ標準時刻を得て、これを演算回路２８に送出する回路である。演算回路２８は送られてきたグリニッチ標準時刻と上記時差とから、指定されているタイムゾーンにおける現在時間を算出し、これをオアゲート３２を介して表示切換部２に送出する回路である。５進カウンタ３０はスイッチＳ2の操作の毎にカウントアップしていく５進カウンタであり、そのカウント値は都市名記憶部２９および国番号記憶部３１に送出される。
都市名記憶部２９は、２４行、５列のテーブルを有しており、各行には、前記タイムゾーンナンバーに対応ずけられた０〜２３の行ナンバーまた各列には０〜４の列ナンバーがそれぞれ与えられている。そして、各行の５つの列には、対応するタイムゾーンにおける５つの主要都市名がそれぞれ記憶されている（以下、上記テーブルを都市名テーブルという）。而して、都市名記憶部２９はタイムゾーン指定回路２５から送られてくるカウント値および５進カウンタ３０から送られてくるカウント値をそれぞれ上記都市名テーブルの行ナンバーおよび列ナンバーとする欄に記憶されている都市名をオアゲート３２を介して表示切換部２に送出する。国番号記憶部３１は上記都市名テーブルと同一構成（２４行、５列で行ナンバー列ナンバーの割振りが同一）のテーブルを有しており、その各欄には同一行ナンバー、同一列ナンバーで特定される都市名テーブルにおける欄に記憶されている都市の国番号が記憶されている（以下、このテーブルを国番号テーブルという）。而して国番号記憶部３１はタイムゾーン指定回路２５および５進カウンタ３０から送られてきたカウント値をそれぞれ国番号テープルの行および列ナンバーとする欄に記憶されている国番号をオアゲート３２を介して表示切換部２に送出する。」（５頁４行〜７頁１４行）
（オ）「次に、表示切換部２について説明する。表示切換部２はモードスイッチＳＭと、このスイッチの操作の度に送られてくる信号をカウントアップしていく３進力ウンタであるモードカウンタ１５と、このモードカウンタ１５からの出力信号により開成されるアンドゲート１１、１２、１３と、これらから送られてくるデータを表示部１に送出するオアゲート１４とからなり、モードカウンタ１５の値が０のときはアンドゲート１１が、１のときはアンドゲート１２が、２のときはアンドゲート１３がそれぞれ開成される。」（８頁４行〜同頁１４行）
（カ）「第２図は、モードスイッチＳＭの操作に伴なう表示部１の表示の変遷を示すものである。いま、第１図のモードカウンタ１５に０が設定されているとする。この場合、アンドゲート１１が開成されるので、時刻計数回路２１および日付計数回路２２からそれぞれ現在時刻および日付がオアゲート２３、アンドゲート１１、オアゲート１４を介して表示部１に送られ、これらが表示部１に表示される。例えば現在、３０日の日曜日で、１０時１０分２０ 秒であるとすると、表示部１には第２図（ａ）の如き表示がなされる。なおこの場合、表示部１に配されている指針２０も同一時刻を示す（同図参照）。上記状態で、モードスイッチＳＭを操作するとモードカウンタ１５のセット値は１となり、これまで開成していたアンドゲート１１は閉成し、アントゲート１２ が開成する。このため、タイムゾーン指定回路２５によって指定されているタイムゾーンにおける現在時刻が演算回路２８から、またタイムゾーン指定回路２５および５進カウンタ３０によって指定される都市名およびその国番号がそれぞれ都市名記憶部２９および国番号記憶部３１からオアゲート３２、アンドゲート１２、オアゲート１４を介して表示部１に送られ、これらが表示部１に表示される。いま、例えば都市名記憶部２９においてパリが指定されたとすると演算回路２８からはパリが属するタイムゾーンの現在時間（２時０８分５９ 秒）が、都市名記憶部２９からはパリという都市名（ＰＡＲ）が、国番号記憶部３１からはフランスの国番号（３３）がそれぞれ送られてきて、表示部１には第２図（ｂ）の如き表示がなされる。」
（９頁２行〜１０頁１３行）
（キ）「次に、表示部１が上記第２図（ｂ）の如き表示をしているときにスイッチＳ1又はスイッチＳ2を操作したときの動作について第３図を参照して説明する。
　この場合、アンドゲート１２が開成されているが、ここで、スイッチＳ2を操作していくと５進力ウンタ３０がカウントアップしていき、同一タイムゾーンに属する都市およびその国番号が、順次、指定されていき、それらがオアゲート３２、アンドゲート１２、オアゲート１４を介して表示部１に送られ、順次、表示されていく、第３図の１〜４は、この際の表示の変遷を示すものである。すなわち、アムステルダム（国番号３１）、ローマ（国番号３９）、チューリッヒ（国番号４１）が、順次、表示されていく。なお、この際、これらの都市は同一タイムゾーンに属するので、時刻表示は同一になる。
　また、上記状態すなわちモードカウンタ１５に１がセットされているときにスイッチＳ1を操作していくと、タイムゾーン指定回路２５の設定値がカウントアップされていき、順次、タイムゾーンナンバーの値が大きいタイムゾーンが指定されていき、そのタイムゾーンにおける現在時刻が演算回路２８から送出されると共に、そのタイムゾーンにおける都市で５進カウンタ３０によって指定される都市名およびその国番号が、それぞれ都市名記憶部２９および国番号記憶部３１から送出されていき、これらはオアゲート３２、アンドゲート１２、オアゲート１４を介して表示部１に送られて表示されていく。第３図５は同図１の状態でスイッチＳ1を１回だけ操作したときの表示部１の表示を示すものであり、パリが属するタイムゾーンより１つだけ東側のタイムゾーンに属するカイロおよびその国番号、更にカイロの現在時刻が表示されている。」（１１頁９行〜１３頁３行）
(3)-4　対比・判断
　本件発明と刊行物１及び刊行物２記載の発明とを対比すると、本件発明の「特定都市の時刻を表示部に表示する特定都市表示モードと複数の都市の時刻を表示する複数都市表示モードとを切換える切換手段と、前記複数都市表示モードから前記特定都市表示モードに切換られた際に、前記特定都市記憶手段の特定都市の時刻を求めて、この時刻を前記特定都市の都市コードと共に、前記表示部に、前記都市選択手段で選択されている都市の時刻と都市コードとに代えて表示する第２の制御手段と、を備える」との構成は、刊行物１及び刊行物２には記載されておらず、また刊行物１及び刊行物２に記載された事項を組み合わせることにより導き出すこともできない。
　そして、本件発明は、上記構成により、「ホームタイムに係る都市を変更する場合に、複数の都市の時刻をサイクリックに表示する複数都市表示モードにおいて、所望の都市の時刻を表示させた状態で、特定都市指定スイッチを１回操作するだけで該所望の都市を特定都市として記憶し、複数都市表示モードから特定都市表示モードに切換わったときに、複数都市表示モードにおいて表示されている都市の時刻に代えて該特定都市として記憶されている都市の時刻を表示することができる。」効果を奏するものである。
［各刊行物についての考察］
　刊行物１は、本件発明の「特定都市指定スイッチ」に相当する「指定都市設定スイッチ１１０」を有しているが、刊行物１のものは、「指定都市時刻表示部１０７」と「選択都市時刻表示部１０８」とをそれぞれ個別に備えているものであって、指定都市時刻表示又は選択都市時刻表示を選択する切換スイッチにより、同一表示部に指定都市時刻又は選択都市時刻を表示する構成ではない。
　すなわち、刊行物１のものは「指定都市設定スイッチ１１０」が押されたときには、「選択都市時刻表示部１０８」で表示されている都市が指定都市として記憶され、個別に設けられた「指定都市時刻表示部１０７」に該記憶された指定都市の時刻が即座に表示されるものであり、本件発明の「複数都市表示モードから特定都市表示モードに切換わったときに、複数都市表示モードにおいて選択されている都市の時刻と都市コードとに代えてホームタイムに係る該所望の都市の時刻を表示する」との構成とは相違する。
　刊行物２には、ホームタイムに係る都市の時刻及び複数の選択都市の時刻を同一表示部にサイクリックに表示するものであるが所望の選択都市をホームタイムに係る都市に変更する構成は存在しない。
　また、刊行物１記載の「指定都市時刻表示部１０７」と「選択都市時刻表示部１０８」とを個別に備えている構成に代えて刊行物２記載のホームタイムに係る都市を含めて複数の選択都市の時刻を同一表示部に表示する構成を採用して刊行物１及び刊行物２を組み合わせた世界時計を構成しても、該世界時計の選択都市時刻表示中に「指定都市設定スイッチ１１０」が押されたときには、所望の選択都市が指定都市として記憶されると同時に、選択都市時刻表示が中断され、該記憶されている指定都市の時刻がホームタイムに係る都市の時刻として即座に表示が切り換わる構成が得られるだけであり、本件発明の「複数都市表示モードから特定都市表示モードに切換わったときに、複数都市表示モードにおいて選択されている都市の時刻と都市コードとに代えてホームタイムに係る該所望の都市の時刻を表示する」構成には至らない。
　よって、刊行物１記載の発明に基づいて又は刊行物１及び刊行物２記載の発明を組み合わせても本件発明を容易に導き出すことはできない。
  したがって、請求項１に係る発明は、特許出願の際独立して特許を受けることができない発明とすることはできない。
（４）むすび
　以上のとおりであるから、上記訂正は、特許法第１２０条の４第２項及び同第３項の規定により準用する特許法第１２６条第２項乃至第４項の規定に適合するので、当該訂正を認める。
３．特許異議申立についての判断
（１）申立ての理由の概要
　申立人諸田昭夫は、本件特許発明の請求項１に係る世界時計は、本件特許出願前に日本国内において頒布された甲第１号証または甲第１号証及び甲第２号証に基づき当業者が容易に発明をすることができたものであるから、特許法第２９条２項の規定により特許を受けることができないので、特許法１１３条第１項第２号の規定により取り消すべきものである。
（２）甲各号証の記載事項及び対比・判断
　甲第１号証及び甲第２号証は、上記刊行物１及び刊行物２と同じものであるから、その記載事項は、(3)-3に記載されたとおりのものであり、対比・判断は上記(3)-4に記載されたとおりである。
（４）以上のとおりであるから、特許異議申立書の理由及び証拠によっては請求項１に係る発明の特許を取り消すことはできない。
　また、他に請求項１に係る発明の特許を取り消すべき理由を発見しない。
　よって、結論のとおりに決定する。
【異議決定日】
平成１２年３月２４日（２０００．３．２４）
【訂正の要旨】
　訂正事項ａ
特許請求の範囲の減縮を目的として請求項１の
「特定都市の時刻を表示する特定都市表示モードと複数の都市の時刻をサイクリックに表示する複数都市表示モードとを切換える切換手段と、」
を、
「特定都市の時刻を表示部に表示する特定都市表示モードと複数の都市の時刻を前記表示部にサイクリックに表示する複数都市表示モードとを切換える切換手段と、」
と訂正する。
訂正事項ｂ
特許請求の範囲の減縮を目的として請求項１の
「前記複数都市表示モードで、前記標準時刻と前記時差記憶手段に前記都市選択手段で選択されている都市に対応して記憶されている時差とから前記選択されている都市の時刻を求めて表示する第１の制御手段と、」
を、
「前記複数都市表示モードで、前記標準時刻と前記時差記憶手段に前記都市選択手段で選択されている都市に対応して記憶されている時差とから前記選択されている都市の時刻を求めて、この求められた時刻を前記選択されている都市の都市コードと共に前記表示部に表示する第１の制御手段と、」
と訂正する。
訂正事項ｃ
特許請求の範囲の減縮を目的として請求項１の
「前記複数都市表示モードから前記特定都市表示モードに切換られた際に、前記標準時刻と前記時差記憶手段に前記特定都市記憶手段の特定都市に対応して記憶されている時差とから、前記特定都市記憶手段の特定都市の時刻を求めて表示する第２の制御手段と、」
を、
「前記複数都市表示モードから前記特定都市表示モードに切換られた際に、前記標準時刻と前記時差記憶手段に前記特定都市記憶手段の特定都市に対応して記憶されている時差とから、前記特定都市記憶手段の特定都市の時刻を求めて、この求められた時刻を前記特定都市の都市コードと共に、前記表示部に前記都市選択手段で選択されている都市の時刻と都市コードとに代えて表示する第２の制御手段と、」
と訂正する。
訂正事項ｄ
不明瞭な記載の釈明を目的として、特許明細書の３頁１４行〜４頁４行の［発明の要点］の欄を、
　「［発明の要点］
　本発明は上記目的を達成するために、標準時刻を計数する時刻計数手段と、複数の都市の時刻と前記標準時刻との時差を、前記複数の都市に対応して記憶する時差記憶手段と、特定都市の時刻を表示部に表示する特定都市表示モードと複数の都市の時刻を前記表示部にサイクリックに表示する複数都市表示モードとを切換える切換手段と、前記複数都市表示モードで複数の都市をサイクリックに選択する都市選択手段と、前記複数都市表示モードで、前記標準時刻と前記時差記憶手段に前記都市選択手段で選択されている都市に対応して記憶されている時差とから前記選択されている都市の時刻を求めて、この求められた時刻を前記選択されている都市の都市コードと共に前記表示部に表示する第１の制御手段と、特定都市を指定する特定都市指定スイッチと、前記複数の都市表示モードで、前記第１の制御手段により前記都市選択手段により選択された都市の時刻が表示されているときに、前記特定都市指定スイッチが操作された際に、前記都市選択手段で選択され時刻が表示されている都市を特定都市として記憶する特定都市記憶手段と、前記複数都市表示モードから前記特定都市表示モードに切換られた際に、前記標準時刻と前記時差記憶手段に前記特定都市記憶手段の特定都市に対応して記憶されている時差とから、前記特定都市記憶手段の特定都市の時刻を求めて、この時刻を前記特定都市の都市コードと共に、前記表示部に、前記都市選択手段で選択されている都市の時刻と都市コードとに代えて表示する第２の制御手段と、を備えることを要旨とする。」
と訂正する。
（５４）【発明の名称】
世界時計
（５７）【特許請求の範囲】
　標準時刻を計数する時刻計数手段と、
　複数の都市の時刻と前記標準時刻との時差を、前記複数の都市に対応して記憶する時差記憶手段と、
　特定都市の時刻を
表示部
前記表示部
　前記複数都市表示モードで複数の都市をサイクリックに選択する都市選択手段と、
　前記複数都市表示モードで、前記標準時刻と前記時差記憶手段に前記都市選択手段で選択されている都市に対応して記憶されている時差とから前記選択されている都市の時刻を求めて
、この求められた時刻を前記選択されている都市の都市コードと共に前記表示部に
　特定都市を指定する特定都市指定スイッチと、
　前記複数の都市表示モードで、前記第１の制御手段により前記都市選択手段により選択された都市の時刻が表示されているときに、前記特定都市指定スイッチが操作された際に、前記都市選択手段で選択され時刻が表示されている都市を特定都市として記憶する特定都市記憶手段と、
　前記複数都市表示モードから前記特定都市表示モードに切換られた際に、前記標準時刻と前記時差記憶手段に前記特定都市記憶手段の特定都市に対応して記憶されている時差とから、前記特定都市記憶手段の特定都市の時刻を求めて
、この時刻を前記特定都市の都市コードと共に、前記表示部に、前記都市選択手段で選択されている都市の時刻と都市コードとに代えて
　を備えることを特徴とする世界時計。
【発明の詳細な説明】
［発明の技術分野］
　本発明は世界時計に関する。
［従来技術とその問題点］
　世界各地の主要都市の現在時刻を容易に知得できる世界時計は、世界の各地へ度々出掛けたり、或るいは世界各地と頻繁に連絡をとる者、例えば商社マン等にとって極めて便利なものとして利用されている。
　この種のものでは、一般に、使用者が生活している都市における現在時刻（ホームタイム）を表示する基本時計表示モードと、スイッチ操作がなされる度に、世界の主要都市の現在時刻を、順次、切換表示していく世界時計モードを備え、両モードをスイッチ操作で切換えられるようになっている。
　ところで、従来のこの種の時計では、基本時計表示モードで表示されるホームタイムを、世界の他の都市での時刻に切換るときには（例えば、他の都市に出張したとき等に必要となる）、基本時計表示モードにおける表示時刻の修正というかたちで行なうようになっていたが、この修正作業は極めて煩してものであった。
［発明の目的］
　本発明は、上述の如き事情に鑑みてなされたもので、ホームタイムの切換を容易に行なえる世界時計の提供を目的とする。
［発明の要点］
　本発明は上記目的を達成するために、標準時刻を計数する時刻計数手段と、複数の都市の時刻と前記標準時刻との時差を、前記複数の都市に対応して記憶する時差記憶手段と、特定都市の時刻を
表示部に
前記表示部に
、この求められた時刻を前記選択されている都市の都市コードと共に前記表示部に
、この時刻を前記特定都市の都市コードと共に、前記表示部に、前記都市選択手段で選択されている都市の時刻と都市コードとに代えて
［実施例］
　以下、図面に示す一実施例に基づき本発明を具体的に説明する。
構成
　第１図は、本実施例の回路構成を示す図である。すなわち、ＣＰＵ１を中心に他の回路部がこれに接続する構成となっており、ＣＰＵ１は接続する回路部とデータの授受を行なうと共に、制御信号を送り、システム全体を制御する回路部である。発振回路２は一定の周波数、例えば３２ＫＨｚの信号を、常時、出力している回路部で、分周回路３は発振回路２からの上記信号を分周して１分毎の信号すなわち１分信号を計時計数回路４および駆動回路５に送出する回路である。計時計数回路４は、上記１分信号を計数してグリニッチ標準時刻を得て、これをＣＰＵ１に与える回路である。また、駆動回路５は上記１分信号を得て、その都度、所定角度だけステップモータ６を回転せしめると共に、ＣＰＵ１からの修正パルス信号ＳＰを得てステップモータ６を早送りで回転せしめる回路である。ステップモータ６は、駆動回路５により回転駆動されて、トルクを輪列機構７を介して指針８に与え、これを運針する。なお、本実施例においては、指針８は常にホームタイムを示す。
　スイッチ部９は、多数のスイッチを備え、操作されたスイッチに対応するスイッチ入力をＣＰＵ１に送出する回路部である。表示部１０は後述の液晶表示パネルを備えＣＰＵ１から与えられたデータをこれに表示する回路部である。ＲＯＭ１１はタイムゾーンすなわち時差と対応づけ世界の主要都市を固定的に記憶している記憶回路部である。ＲＡＭ１２は、各種レジスタが配されている記憶回路部である。第２図は、前記ＲＯＭ１１の構成を詳細に示すものである。すなわちＲＯＭ１１は都市数記憶部Ｋと都市名記憶部Ｌとからなり、都市名記憶部Ｌは行アドレス０〜２３の２４行からなり、各行は２４に分けられている世界の各タイムゾーンにそれぞれ対応し、時差エリアＤＡ、第１都市エリアＣ１Ａ、第２都市エリアＣ２Ａ、第３都市エリアＣ３Ａおよび第４都市エリアＣ４Ａから構成されている。そして時差エリアＤＡには、対応するタイムゾーンにおける時差が固定的に記憶され、第１都市エリアＣ１Ａ〜第４都市エリアＣ４Ａの各々又は一部にはそのタイムゾーンに属する主要都市を示す都市コードが記憶されている（すなわち、各タイムゾーンに対し０〜４個の範囲で都市が記憶されている。）同図において、例えば、行アドレス１の行の時差エリアＤＡには時差１時間、第１都市エリアＣ１Ａにはパリを示すＰＡＲ、第２都市エリアＣ２Ａにはアムステルダムを示すＡＭＳ、第３都市エリアＣ３Ａにはブリュセルを示すＢＲＵ、第４都市エリアＣ４Ａには、ハンブルグを示すＨＡＭがそれぞれ固定的に記憶されている。
　また、都市数記憶部ＫはメモリＫ０〜Ｋ２３の２４個のメモリからなり、各メモリは、都名記憶部Ｌの各行すなわちタイムゾーンに対応しており（例えばメモリＫ１は、都市名記憶部Ｌの行アドレス１の行すなわちタイムゾーンナンバー１のタイムゾーンに対応している）、対応する都市名記憶部Ｌの行に都市が、幾つ記憶されているかが固定的に、書込まれている。
　第３図は、ＲＡＭ１２の構成を詳細に示すものである。モードレジスタＮはモードを指定するレジスタで、その値が０のときは、ホームタイムを表示部１０に表示する基本時計表示モードすなわちホームタイムモード、１のときは世界の主要都市の現地時間を、スイッチ操作により、順次、切換えて表示する際の世界時計モード、そして、２のときは、ＲＯＭ１１の都市名記憶部Ｌに記憶されていない都市を後述の追加設定都市記憶部Ｍに記憶する場合、或るいは、既に追加設定都市記憶部Ｍに記憶されている都市を変更・修正する場合の都市変更モードを指定する。セット桁ポインタＡは上記都市変更モードにおいてセットアンドセレクト方式で都市を入力する際にセットすべき桁を指定するポインタである。セット状態フラグＦＳは上記都市変更モードにおいて、入力可能状態になったときに立てられるフラグである。タイムゾーンポインタＴＺは、タイムゾーンナンバーがセットされ、そのタイムゾーンナンパーに係るタイムゾーンを指定するポインタである。シティポインタＣＴは、その時点のタイムゾーンポインタＴＺで指定されるタイムゾーン内の１つの都市を指定するポインタであり、その値が０のときは、後述の追加設定都市記憶部Ｍにセットされている都市、１〜４のときはそれぞれ都市名記憶部Ｌの第１都市エリアＣ１Ａ、第２都市エリアＣ２Ａ、第３都市エリアＣ３Ａ、第４都市エリアＣ４Ａに記憶されている都市をそれぞれ指定する。ホームタイムゾーンレジスタＢＴＺおよびホームタイムシティレジスタＢＣＴはそれぞれホームタイムに係るタイムゾーンおよび都市がセットされるレジスタである。
　追加設定都市記憶部ＭはメモリＭ０〜Ｍ２３の２４個のメモリからなりそれぞれ２４個のタイムゾーンに対応しており（例えばメモリＭ１はタイムゾーンナンバー１のタイムゾーンに対応している）、そのタイムゾーンの都市の都市名が、キー操作により、設定される。前回表示都市記憶部ＪはメモリＪ０〜Ｊ２３の２４個のメモリからなり、それぞれ２４個のタイムゾーンに対応しており（例えば、メモリＪ１はタイムゾーンナンバー１のタイムゾーンに対応している）、他のタイムゾーンの時間を表示部１０に切換表示する際に、それまで表示部１０にその現地時間等を表示していた都市の都市コードがセットされる。
　第４図は、表示部１０の表示体配列状態を示すものである。すなわち、表示部１０はタイムゾーン表示部１３と時間表示部１４からなり、タイムゾーン表示部１３には、半円状の世界地図が印刷表示されており、該世界地図上には、世界の主要都市をタイムゾーン毎に結ぶ線を表示する液晶表示体すなわちゾーン表示体が２４本、、配設されている。また、上記半円状世界地図の周辺部には、上記各ゾーン表示体に係るタイムゾーンにおける時差が印刷表示されている。なお、前記タイムゾーンナンバーは、上記時差が０〜１２時間時間の間では時差と一致したナンバーが与えられており、それ以上のタイムゾーンナンバーにおいては、時差が−１１時間のタイムゾーンでは１３、−１０時間のタイムゾーンでは１２という具合になっていき、−１時間のタイムゾーンでは２３となる。
　時間表示部１４は日付部１４ａ、都市コード部１４ｂ、時刻部１４ｃからなり、日付部１４ａには、日付表示用の７セグメント表示体等が配設されており、都市コード部１４ｂには都市コード表示用のドット表示体が３文字分だけ設けられており、時刻部１４ｃには、時刻表示用の７セグメント表示体等が配されている。
　なお、第８図（ａ）に示すように本実施例においては、時計ケース正面に、上記表示部１０が配され、その下方および時計ケース側面にはスイッチＳＡ、ＳＢ、スイッチＳ１〜Ｓ３が配されている。スイッチＳＡ、ＳＢは都市の追加設定等に用いられ、スイッチＳ１は指針８の表示変更に用いられ、スイッチＳ２、Ｓ３は状態或るいはモードの切換に用いられる。
動作
　次に、上記の如く構成された本実施例の動作について説明する。
　第５図は動作の概要を示すジェネラルフローチャートである。すなわちステップＳ１ではスイッチ入力があったかを判断し、スイッチ入力があったときは、対応するスイッチ処理（ステップＳ２）を実行した後、ステップＳ３に進むが、スイッチ入力がなかったときは、ステップＳ１から、直接、ステップＳ３に進む。そして、ステップＳ３では、その時点に表示すべく指示されているデータを表示部１０に表示する表示処理が行なわれ、その後、ステップＳ１に戻る。
　第６図は上記スイッチ処理（ステップＳ２）を詳細に示すフローチャートで、第７図は上記表示処理を詳細に示すフローチャートである。また第８図および第９図は、各種スイッチ処理に伴なう表示部１０の表示の変遷を示すものである。以下、上記表示の変遷に沿っての動作を上記各フローチャートを参照しながら説明していく。
（イ）ホームタイムモードでの動作
　例えば、いま、表示部１０に第８図（ａ）の如き表示がなされ、ホームタイムモードになっているとすると、ジェネラルフローチャート（第５図）のステップＳ１からステップＳ３の表示処理すなわち第７図のフローチャートに進む度にホームタイムモードになっていることを確認し（ステップＳ７０）、ホームタイムゾーンレジスタＢＴＺにタイムゾーンナンバーがセットされているタイムゾーンの現在時刻および日付を計時計数回路４からのグリニッジ標準時刻とＲＯＭ１１の都市名記憶部Ｌの対応する時差エリアＤＡに記憶されている時差とから算出し（ステップＳ７１）、それらを表示部１０に表示する（ステップＳ７２）。次いで、ホームタイムシティレジスタＢＣＴの値が０になっているかを判断し（ステップＳ７３）、０になっているときは、上記タイムゾーンに属する都市として、追加設定都市記憶部Ｍに使用者により追加セットされた都市の都市コードを表示部１０に表示するが（ステップＳ７４）、他方、ホームタイムシティレジスタＢＣＴの値が０になっていないときは、ホームタイムゾーンレジスタＢＴＺで指定されるタイムゾーンの都市のうち、ホームタイムシティレジスタＢＣＴにより指定される都市の都市コードを表示部１０に表示する（ステップＳ７６）。そして、上記ステップＳ７４、又はＳ７６の処理が終了したときは、ステップＳ７５に進みホームタイムゾーンレジスタＢＴＺで指定されるタイムゾーンを示す前記ゾーン表示体を点灯表示する。
（ロ）世界時計モードでの動作
　ホームタイムモードから世界時計モードに切換えるには、スイッチＳ３を操作する（第８図参照）。このとき該操作をステップＳ１０で検出し、未だセット状態フラグＦＳが立てられないことを確認し（ステップＳ１１）、モードレジスタＮの値を０から１として世界時計モードとし（ステップＳ１２）、ステップＳ１３を経て表示処理に進む。そして、表示処理においては、既にモードレジスタＮの値が０でなくなっていることを確認し（ステップＳ７０）、その時点のタイムゾーンポインタＴＺの値で指定されるタイムゾーンの時刻、日付を計時計数回路４からのグリニッジ標準時刻と都市名記憶部Ｌと時差とから算出し（ステップＳ８０）、それを表示部１０に表示する（ステップＳ８１）。次いでシティポインタＣＴの値が０になっているかを判断し（ステップＳ８２）、０になっているときは追加設定都市記憶部Ｍのメモリ中タイムゾーンポインタＴＺで指定されるメモリに記憶されている都市コード（すなわちタイムゾーンポインタＴＺで指定されるタイムゾーンに属する都市で、使用者により、追加設定された都市の都市コード）を表示部１０に表示し（ステップＳ８７）、他方０になっていないときは、タイムゾーンポインタＴＺにより設定される都市名記憶部Ｌの行に記憶されている都市のうちシティポインタＣＴにより指定される都市の都市コードを表示部１０に表示する（ステップＳ８３）。然る後、タイムゾーンポインタＴＺで指定されているタイムゾーンを示すゾーン表示体を点灯表示し（ステップＳ８４）、更に、世界時計モードであることを確認し（ステップＳ８５）、ホームタイムゾーンレジスタＢＴＺにより指定されているタイムゾーンすなわちホームタイムに係るタイムゾーンを示すゾーン表示体を点灯表示する。このようにして、表示部１０の表示は、第８図（ｂ）の如くになる。なお、前述の如く、この世界時計モードにおいても指針８はホームタイムを示している。
　また、上記第８図（ｂ）の状態から、他のタイムゾーンにおける現在時刻を確認すべく、それらを順に表示部１０に表示するには、第９図に示すようにスイッチＳＢを操作していく。このとき、スイッチＳＢが操作される度に、それをステップＳ３５で検出し、セット状態フラグＦＳが未だ立てられていないことを確認し（ステップＳ３６）、世界時計モードになっていることを確認し（ステップＳ３７）、次のステップＳ３８に進む。ステップＳ３８ではその時点のシティポインタＣＴの値をタムゾーンポインタＴＺの値で指定される前回表示都市記憶部Ｊ中のメモリに移して記憶し（ステップＳ３８）、それまで表示されている都市を次にこのタイムゾーンが指定されたときに最初に表示されるようにしておく。次いで、タイムゾーンポインタＴＺに＋１するインクリメント処理を実行して（ステップＳ３９）、タイムゾーンナンバーが１だけ大きいイムゾーンを指定するがこのインクリメント処理でタイムゾーンポインタＴＺの値が最後のタイムゾーンナンバーである２３を越えて２４に到ったときは、それをステップＳ４０で検出し、タイムゾーンポインタＴＺの値を０に戻す（ステップＳ４１）。然る後、新たに指定したタイムゾーンに属する都市のうち、先に当該タイムゾーンに係る表示をしていたときに表示していた都市を表示すべく、タイムゾーンポインタＴＺの新たな値で指定れる前回表示都市記憶部Ｊ中のメモリの値をシティポインタＣＴに移してセットする（ステップＳ４２）。次いで表示処理に入り、ステップＳ７０を経て、ステップＳ８０で、前記同様にしてタイムゾーンポインタＴＺにより指定されているタイムゾーンの現在時刻および日付を算出し、これらを表示部１０に表示する（ステップＳ８１）。その後、前記同様にシティポインタＣＴにより、指定されている都市が都市名記憶部Ｌに予め記憶されているものか、追加設定都市記憶部Ｍに追加設定されているものかを判断して、指定されている都市を表示部１０に表示する（ステップＳ８２、Ｓ８３、Ｓ８７）。更にタイムゾーンポインタＴＺにより新たに指定されたタイムゾーンを示すべく、そのタイムゾーンに係るゾーン表示体を点灯表示すると共に、世界時計モードであることを確認の上、ホームタイムに係るタイムゾーンを示すゾーン表示体をも点灯表示する（ステップＳ８４〜Ｓ８６）。このようにして、第９図に示す如く、スイッチＳＢが操作される度に、順次、各タイムゾーンにおける現在時刻等が表示部１０に表示されていく。
　ところで、上記の如くして、スイッチＳＢを操作して各タイムゾーンの現在時刻等を表示部１０に表示していく場合、表示される都市は前回表示都市記憶部Ｊのメモリの値で指定されているものだけであるが、これを変更するには、第９図に示すようにスイッチＳＡを操作していく。この場合、スイッチＳＡが操作される度に、ステップＳ３５からステップＳ５５に進み、セット状態フラグＦＳが未だ立てられていないことを確認し、世界時計モードであることを確認し（ステップＳ５６）、シティポインタＣＴに＋１するインクリメント処理を実行するが、その結果、シティポインタＣＴの値がタイムゾーンポインタＴＺで指定される都市数記憶部Ｋのメモリの値、すなわち、そのタイムゾーンの都市として都市名記憶部Ｌに記憶されている都市の個数を超えるに到ったときはシティポインタＣＴの値を０に戻しておく（ステップＳ５７〜Ｓ５９）。然る後、表示処理に進み、ステップＳ７０を経て、ステップＳ８０でタイムゾーンポインタＴＺにより指定されているタイムゾーンの現在時刻および日付を算出して、その結果を表示部１０に表示する（ステップＳ８１）。次いで、シティポインタＣＴの値が０になっているかを調べ（ステップＳ８２）、０になっている場合は、ステップＳ８７に進みタイムゾーンポインタＴＺにより指定されている追加設定都市記憶部Ｍの中のメモリに記憶されている都市、すなわち使用者が追加設定した都市を表示部１０に表示し（第９図（ｅ）参照。同図中のリスボンを示すＬＩＳの文字は、第２図の都市名記憶部Ｌの行アドレス０の都市エリアには記憶されていない）、他方０になっていない場合は、ステップＳ８３に進み、タイムゾーンポインタＴＺで指定される都市名記憶部Ｌ中の都市エリアに記憶されている都市のうちシティポインタＣＴにより指定されているものを表示部１０に表示する（第９図（ａ）〜（ｄ）参照）。然る後、タイムゾーンポインタＴＺで指定されるタイムゾーンを示すゾーン表示体を点灯し、更にホームタイムに係るタイムゾーンを示すゾーン表示体を点灯する（ステップＳ８４〜Ｓ８６）。
　次に、ホームタイムに係るタイムゾーンおよびホームタイムを表示部１０に表示する際に合わせて表示する都市を変更する場合の動作を説明する。この場合は、第８図に示す如く、世界時計モードにし、ホームタイムにしょうとするタイムゾーンに係る現在時刻等を表示部１０に表示せしめた上で、スイッチＳ２を操作する。このとき該操作をステップＳ２０で検出し、ステップＳ２１で世界時計モードになっていることを確認し、ホームタイムゾーンレジスタＢＴＺの値とタイムゾーンポインタＴＺの値を交換してその時点に表示部１０に表示しているタイムゾーンに係るタイムゾーンナンバーをホームタイムに係るタイムゾーンのタイムゾーンナンバーとし（ステップＳ２２）。更にホームタイムシティレジスタＢＣＴの値とシティポインタＣＴの値を交換して、その時点に表示部１０に表示している都市をホームタイムシティレジスタＢＣＴで指定するようにする（ステップＳ２３）。然る後、ホームタイムゾーンレジスタＢＴＺとタイムゾーンポインタＴＺにより指定されている都市名記憶部Ｌの２つの行の時差エリアＤＡの時差から新旧のホームタイム間の時間差を算出し（ステップＳ２４）。それに基づき指針８を早送りし、この指針８により新たなホームタイムを表示する（ステップＳ２５）。以上の後、表示処理に入り、それまでのホームタイムに係るタイムゾーンの現在時刻等が表示部１０に表示される（ステップＳ７０、ステップＳ８０〜Ｓ８６）。
（ハ）都市変更モードにおける動作
　既に追加設定都市記憶部Ｍに設定してある都市を変更等する場合は、第８図に示すように世界時計モードにしておきスイッチＳ３を操作して都市変更モードに切換える。このときステップＳ３の操作をステップＳ１０で検出し、未だセット状態フラグＦＳが立てられないことを確認し（ステップＳ１１）、モードレジスタＮの値を２にして都市変更モードに切換え（ステップＳ１２）、ステップＳ１３を経て表示処理に進む。そして、表示処理では、タイムゾーンポインタＴＺおよびシティポインタＣＴにより指定されたタイムゾーンの現在時刻、および都市等を表示部に表示する（ステップＳ７０、Ｓ８０〜Ｓ８５）。
　次いで変更しようとする都市を表示部１０に表示させるが、このときは、上記世界時計モードにおいてと同様にスイッチＳＢを操作して、その都市が属するタイムゾーンを指定し（ステップＳ３５〜Ｓ４２）、スイッチＳＡを操作してその都市を指定して（ステップＳ５５〜Ｓ５９）、これにより変更対象の都市を表示部１０に表示せしめる。
　以上の後、第８図に示すように、スイッチＳ２を操作して入力可能状態とするが、このときスイッチＳ２の操作をステップＳ２０で検出し、ステップＳ２１を経てステップＳ２６で既に都市変更モードになっていることを確認し、更に、未だセット状態フラグＦＳが立てられていないことを確認し（ステップＳ２７）、その上でセット状態フラグＦＳを立て入力可能状態とする（ステップＳ２８）。然る後、セット桁ポインタＡに１をセットして、３つの文字からなる都市コードのうちの最初の文字を指定し（ステップＳ２９）、シティポインタＣＴに０をセットして追加設定都市記憶部Ｍ中のメモリを指定する。以上の動作の結果、表示部１０の表示は第８図（ｅ）の如くになり、変更対象となっている都市の都市コードの最初の文字が点滅表示されることになる。
　次に、上記最初の文字を書替えるには、目的とする文字が表示されるまでスイッチＳＡ又はスイッチＳＢを操作するが、このとき、スイッチＳＡ又はスイッチＳＢの操作の度に、都市コードの最初の文字が指定されていることを確認し（ステップＳ４５又はステップＳ６０）、その上で、タイムゾーンポインタＴＺによって指定されている追加設定都市記憶部Ｍ中のメモリの１桁目すなわち変更対象となっている都市の都市コードの最初の文字を、順次、アルファベット順又はアルファベットの逆の順序で、順次、他の文字に書替えていく（ステップＳ４６又はステップＳ６１）。そして表示処理では、時刻・日付表示の後、上記処理で最初の文字が変更された都市コードが表示部１０に表示されていく（ステップＳ７０、ステップＳ８０〜Ｓ８５）。
　以上の如くして、上記最初の文字の書替えを終えた後には、次の書替対象を都市コードの２番目の文字とすべく、第８図に示す如く、スイッチＳ３を操作する。このとき、スイッチＳ３の操作をステップＳ１０で検出し、セット状態フラグＦＳが立てられていることを確認し（ステップＳ１１）、セット桁ポインタＡの値を２として書替対象を上記２番目の文字とし（ステップＳ１５）、未だセット桁ポインタＡの値が４に到っていないことを確認して（ステップＳ１６）、表示処理に進み、一連の処理がなされ、表示部１０には第８図（ｆ）の如き表示がなされる。
　また、上記２番目の文字を書替えるには、最初の文字の場合と同様に、スイッチＳＡ又はスイッチＳＢにより行なうが、このときスイッチＳＡ又はスイッチＳＢが操作される度に上記２番目の文字が書替対象になっていることを確認し（ステップＳ４７又はステップＳ６２）、上記２番目の文字に係る記憶部を、順次、他の文字で書替えていく（ステップＳ４８又はステップＳ６３）。然る後、表示処理では一連の処理の後、上記処理で、２番目の文字が変更された都市コードが表示部１０に表示されていく（ステップＳ７０、Ｓ８０〜Ｓ８５）。
　また、上記２番目の文字の書替えを終えた後には、次の書替対象として都市コードの３番目の文字とすべく、上記２番目の文字の場合と同様、スイッチＳ３を操作する。このときスイッチＳ３の操作をステップＳ１０で検出し、ステップＳ１１を経て、ステップＳ１５でセット桁ポインタＡの値を３とし上記３番目の文字を書替対象とし、ステップＳ１６を経て表示処理に進み表示部１０には第８図（ｇ）の如き表示がなされる。そして、上記３番目の文字の書替えは、上記場合と同様に、スイッチＳＡ又はスイッチＳＢにより行なうが、これにより、上記場合と概ね同様の動作が行なわれる（ステップＳ４９、Ｓ５０又はステップＳ６４、Ｓ６５）。
　また、上記の如くして、都市コードの３番目の文字を書替えた後、再度、最初の文字を書替えるべく、これを書替対象とするときは、更に、スイッチＳ３を操作するが、このとき、該操作をステップＳ１０で検出し、ステップＳ１１、Ｓ１５、Ｓ１６を経てステップＳ１７でセット桁ポインタＡに１をセットして上記最初の文字を書替対象とする。
　以上のようにして、追加設定都市記憶部Ｍに設定してある都市の変更を終えた後には、前記入力状態から都市変更モードの通常状態に戻すが、これは、第８図に示すようにスイッチＳ２を操作して行なう。このとき該操作をステップＳ２０で検出し、ステップＳ２１、Ｓ２６を経てステップＳ２７で未だセット状態フラグＦＳが降ろされていないことを確認した上で、該セット状態フラグＦＳを降ろし（ステップＳ３１）、上記通常状態に戻す。
　また、都市変更モードからホームタイムモードに戻すには、第８図に示すように、スイッチＳ３を操作するが、このとき、該操作をステップＳ１０で検出し、既にセット状態フラグＦＳは降ろされていることを確認し（ステップＳ１１）、ステップＳ１２、Ｓ１３を経てステップＳ１４でモードレジスタＮに０をセットしてホームタイムモードとする。そして表示処理ではホームタイムおよびホームタイムに係る都市等が表示部１０に表示される（ステップＳ７０〜Ｓ７５）。
　なお以上は、追加設定都市記憶部Ｍに既に追加設定されている都市を変更する場合についての説明であるが、新たに追加設定都市記憶部Ｍに都市を設定する場合も概ね同様である。
　なお、この発明は上記実施例に限定されず、この発明を逸脱しない範囲内において種々変形応用可能である。
［発明の効果］
　この発明は、以上詳述したように、世界の複数の都市の時刻をサイクリックに表示していく複数都市表示モードすなわち世界時計モードで表示対象とすべく予め設定されている複数の都市の中の１つを指定した場合、世界時計モードでその都市の現在時刻として表示されるべき時刻をホームタイムとして基本時計表示モードで表示するようにした世界時計に係るものであるから、ホームタイムの切換を容易に行なえる世界時計の提供を可能とする。さらに、ホームタイムに係る都市を変更する場合に、複数の都市の時刻をサイクリックに表示する複数の世界時計モードにおいて、所望の都市の時刻を表示させた状態で、スイッチＳ２を１回操作するだけで、容易に所望の都市をホームタイムに係る都市に変更することができる世界時計の提供を可能とする。
【図面の簡単な説明】
　第１図は本発明の一実施例の回路構成を示す図、第２図は第１図におけるＲＯＭの構成を示す図、第３図は第１図におけるＲＡＭの構成を示す図、第４図は第１図における表示部の表示体配列を示す図、第５図は上記実施例の動作の概要を示すジェネラルフローチャート、第６図は上記ジェネラルフローチャート中のスイッチ処理を詳細に示すフローチャート、第７図は上記ジェネラルフローチャート中の表示処理を詳細に示すフローチャート、第８図および第９図は各種スイッチ処理に伴なう表示部の表示変遷を示す図である。
　１……ＣＰＵ、２……発振回路、３……分周回路、４……計時計数回路、５……駆動回路、６……ステップモータ、７……輪列機構、８……指針、９……スイッチ部、１０……表示部、１１……ＲＯＭ、１２……ＲＡＭ、１３……タイムゾーン表示部１４……時間表示部、１４ａ……日付部、１４ｂ……都市コード部、１４ｃ……時刻部、Ｋ……都市数記憶部、Ｌ……都市名記憶部、ＤＡ……時差エリア、Ｎ……モードレジスタ、Ａ……セット桁ポインタ、ＴＺ……タイムゾーンポインタ、ＣＴ……シティポインタ、Ｍ……追加設定都市記憶部、Ｊ……前回表示都市記憶部。